(57)【要約】【課題】第１の記録媒体と第２の記録媒体の両方へ同時に記録する場合や、記録媒体間でデータを転送する場合の通信効率の低下を防止することができる記録装置を提供する。【解決手段】記録装置１００は、第１の通信手段２０１と第２の通信手段２０２を有する記録媒体２００を装着し、第１の通信手段２０１と通信を行う第３の通信手段１０５と、第２の通信手段２０２と通信を行う第４の通信手段１０７とを備える。そして、記録媒体２００が装着されたことを検出する検出手段１０６を備える。また、検出手段により記録媒体が装着されたことが検出された場合、第３の通信手段と第１の通信手段との通信を許可し、第４の通信手段と第２の通信手段との通信を停止する制御を行う制御手段１０４を備える。【選択図】図１
2009295110.tif 000002
【特許請求の範囲】
【請求項１】
第１の通信手段と第２の通信手段を有する記録媒体を装着し、前記第１の通信手段と通信を行う第３の通信手段と、前記第２の通信手段と通信を行う第４の通信手段とを備える記録装置において、
前記記録媒体が装着されたことを検出する検出手段と、
前記検出手段により前記記録媒体が装着されたことが検出された場合、前記第３の通信手段と前記第１の通信手段との通信を行い、前記第４の通信手段と前記第２の通信手段との通信を停止する制御を行う制御手段と、
を備えることを特徴とする記録装置。
【請求項２】
前記第３の通信手段は、伝送線路により通信を行う接触通信手段であり、前記第４の通信手段は、電波により通信を行う非接触通信手段であることを特徴とする請求項１記載の記録装置。
【請求項３】
装置に装着されていない外部の記録媒体と前記第４の通信手段を介して通信を行うことを特徴とする請求項１記載の記録装置。
【請求項４】
記録装置と通信を行う第１の通信手段及び第２の通信手段を備える記録媒体において、
前記記録装置に装着されたことを検出する検出手段と、
前記検出手段により前記記録装置に装着されたことが検出された場合、前記第１の通信手段にて前記記録装置と通信が可能であるとき、前記第２の通信手段による通信を停止する制御を行う制御手段と、
を備えることを特徴とする記録媒体。
【請求項５】
前記第１の通信手段は、伝送線路により通信を行う接触通信手段であり、前記第２の通信手段は、電波により通信を行う非接触通信手段であることを特徴とする請求項４記載の記録媒体。
【発明の詳細な説明】
【技術分野】
【０００１】
本発明は、異なる複数の通信方式にて通信を行う記録装置及びその記録装置に装着される記録媒体に関する。
【背景技術】
【０００２】
ＩＣカードの非接触通信手段として、装置側からキャリアを送信し、電磁誘導によりＩＣカードに電力を供給し、キャリアの変調により装置側とＩＣカード間で通信を行う手段が知られている。非接触ＩＣカードは、接触式ＩＣカードと異なり、カードデータの読み出し時及び書き込み時に物理的に接触する必要が無く利便性に優れている。
【０００３】
しかしながら、非接触ＩＣカードは、外部から直接電力を供給することができないため、電力消費の大きなアプリケーションは実現できない、電磁波ノイズの影響を受ける、無線通信であるため盗聴される危険性がある等といった欠点がある。
【０００４】
そのため、非接触通信手段と接触通信手段の２系統の通信手段を備えるハイブリッドＩＣカードが考えられている。特許文献１では、ハイブリッドＩＣカードの通信手段の特徴を適切に活用するため、使用環境やアプリケーションに応じて、非接触通信手段または接触通信手段のうち、最適な通信手段を選択する技術が提案されている。
【特許文献１】特開２００３−０３６４２８号公報
【発明の開示】
【発明が解決しようとする課題】
【０００５】
図６及び図７は、特許文献１に提案の技術における問題点を示す図である。
【０００６】
（ｂ）に示す装置（デジタルビデオカメラ）１００には、ＩＣカード２００を装着することが可能であり、装置１００には、非接触通信制御部１０７と接触通信制御部１０５が備わる。装着されたＩＣカード２００には、接触通信制御部２０１と非接触通信制御部２０２が備わる。
【０００７】
装置１００にＩＣカード２００が装着された場合、装置側の接触通信制御部１０５とＩＣカード２００の接触通信制御部２０１が通信を行うことができる。また、装置１００の非接触通信制御部１０７が有効である場合、ＩＣカード２００の非接触通信制御部２０２を介してＩＣカード２００と通信を行うことが可能である。
【０００８】
さらに、装置１００の非接触通信制御部１０７が有効である場合、（ａ）に示す装着されていないＩＣカード３００との間で、ＩＣカード３００の非接触通信制御部３０２を介して通信を行うことが可能である。
【０００９】
しかしながら、特許文献１に提案の技術では、外部に第２のＩＣカードが備わる場合に関する記載が無い。従って、図６の様に、第１のＩＣカード２００が装着されたことを検出して、装置１００の非接触通信制御部１０７を停止してしまうと、外部に備わる第２のＩＣカード３００との間の通信が途絶えてしまう。
【００１０】
また、図７の様に、常に非接触通信制御部を適用して通信を行う場合、非接触通信制御部の位置関係は、以下の様になる。即ち、装置１００の非接触通信制御部１０７に対して、装着された第１のＩＣカード２００の非接触通信制御部２０２の方が、外部に備わる第２のＩＣカード３００の非接触通信制御部３０２よりも近距離に位置する。
【００１１】
そのため、第１のＩＣカード２００の非接触通信制御部２０２が出力する電波が干渉し、第２のＩＣカード３００との非接触通信制御部３０２の品質の低下が懸念される。
【００１２】
本発明の目的は、第１の記録媒体と第２の記録媒体の両方へ同時に記録する場合や、記録媒体間でデータを転送する場合の通信効率の低下を防止することができる記録装置及びその記録装置に装着される記録媒体を提供することにある。
【課題を解決するための手段】
【００１３】
上記目的を達成するために、請求項１記載の記録装置は、第１の通信手段と第２の通信手段を有する記録媒体を装着し、前記第１の通信手段と通信を行う第３の通信手段と、前記第２の通信手段と通信を行う第４の通信手段とを備える記録装置において、前記記録媒体が装着されたことを検出する検出手段と、前記検出手段により前記記録媒体が装着されたことが検出された場合、前記第３の通信手段と前記第１の通信手段との通信を行い、前記第４の通信手段と前記第２の通信手段との通信を停止する制御を行う制御手段とを備えることを特徴とする。
【００１４】
請求項４記載の記録媒体は、記録装置と通信を行う第１の通信手段及び第２の通信手段を備える記録媒体において、前記記録装置に装着されたことを検出する検出手段と、前記検出手段により前記記録装置に装着されたことが検出された場合、前記第１の通信手段にて前記記録装置と通信が可能であるとき、前記第２の通信手段による通信を停止する制御を行う制御手段とを備えることを特徴とする。
【発明の効果】
【００１５】
本発明の記録装置によれば、第１の記録媒体と第２の記録媒体の両方へ同時に記録する場合や、記録媒体間でデータを転送する場合の通信効率の低下を防止することができる。
【発明を実施するための最良の形態】
【００１６】
以下、本発明の実施の形態を図面を参照しながら詳細に説明する。
【００１７】
（第１の実施の形態）
本発明の第１実施の形態として、ＩＣカードを記録媒体とするデジタルビデオカメラを例に説明する。
【００１８】
図１は、本発明の第１の実施の形態に係る記録装置としてのデジタルビデオカメラと、記録媒体としてのＩＣカードを示すブロック図である。
【００１９】
デジタルビデオカメラ１００とＩＣカード２００は、伝送線路により通信を行う接触通信手段と、電波により通信を行う非接触通信手段の２系統の通信手段でデータの送受信を行うことができる。
【００２０】
図１は、デジタルビデオカメラ１００にＩＣカード２００が装着された状態で、物理的には、接触通信手段と非接触通信手段の双方の通信が可能な状態である。
【００２１】
ビデオカメラ１００は、大きく分類して、制御機構と撮影機構、記録機構にて構成されている。
【００２２】
制御機構には、システム全体を制御するシステム制御部（制御手段）１０４があり、ＣＰＵやＲＯＭ等で構成されている。システムバス１０８は、システム制御部１０４から出力される制御信号や、各ノード間の制御信号、データのパスとして使用される。
【００２３】
撮影機構は、レンズ１０１、センサ１０２、画像処理部１０３等で構成されている。レンズ１０１にて集光した画像をセンサ１０２で光電変換し、画像処理部１０３にてデジタル画像データへ符号化する。
【００２４】
記録機構は、第３の通信手段としての接触通信手段に使用する装置側接触通信制御部１０５、第４の通信手段としての非接触通信手段に使用する装置側非接触通信制御部１０７、カード装着検出部（検出手段）１０６等から構成されている。
【００２５】
符号化されたデジタル画像データは、システム制御部１０４が、接触通信手段または、非接触通信手段の何れの方式でＩＣカード２００へ記録するかの選択を行う。
【００２６】
システム制御部１０４が、非接触通信手段を選択した場合、符号化されたデジタル画像データは、システムバス１０８を経由し、装置側非接触通信制御部１０７を介してＩＣカード２００へ記録される。
【００２７】
システム制御部１０４が、接触通信手段を選択した場合、符号化されたデジタル画像データは、システムバス１０８を経由し、装置側接触通信制御部１０５を介してＩＣカード２００へ記録される。
【００２８】
デジタルビデオカメラ１００は、他に、ユーザが再生画像を確認するためや、システムの状態をユーザへ通知するために使用する表示部１０９、操作のための操作部等を備える。
【００２９】
ＩＣカード２００には、第１の通信手段としての接触通信手段に使用するカード側接触通信制御部２０１、第２の通信手段としての非接触通信手段に使用するカード側非接触通信制御部２０２、何れの通信方式を使用するかを選択する通信方式選択部２０３がある。
【００３０】
また、ＩＣカード２００には、ＩＣカード２００のシステムを制御するカード制御部（制御手段）２０４、記憶素子であるメモリ２０６、メモリ２０６とカード制御部２０４のインタフェースであるメモリインタフェース２０５がある。
【００３１】
図２は、図１のデジタルビデオカメラによって実行される通信手段選択処理の手順を示すフローチャートである。
【００３２】
本処理は、図１におけるシステム制御部１０４の制御の下に実行される。
【００３３】
図２において、カード装着検出部１０６にて、カードが装着されていることを検出すると（ステップＳ１０１）、カードのファイル構造を解析し、読み書き可能な状態にするための、マウント処理が完了しているかどうかをチェックする（ステップＳ１０２）。
【００３４】
マウント処理が完了していない場合は、本体（デジタルビデオカメラ）側及びカード側の接触通信手段を介して、カード側の非接触通信手段の停止要求を行う（ステップＳ１０３）。
【００３５】
カードから、カード側非接触通信制御部２０２の機能が停止した旨の応答を待ち（ステップＳ１０４）、マウント処理を実行して（ステップＳ１０５）、画像データの記録準備が完了したことを表示部１０９へ通知する（ステップＳ１０６）。そして、本処理を終了する。
【００３６】
ステップＳ１０２にて、マウント処理が完了していると判断した場合は、ステップＳ１０６へ移行する。ステップＳ１０１にて、カード装着を検出しない場合、非接触通信が可能であるかどうかを判断する（ステップＳ１０７）。
【００３７】
非接触通信が可能である場合は、マウント処理が完了しているかどうかのチェックをする（ステップＳ１０８）。ステップＳ１０８のマウント処理のチェックは、ステップＳ１０２とは異なり、非接触通信手段にてマウント処理が行われているかどうかのチェックである。
【００３８】
ステップＳ１０８にて、マウント処理が完了していない場合、非接触通信手段によるマウント処理を行い（ステップＳ１０９）、ステップＳ１０６へ移行する。
【００３９】
ステップＳ１０７にて、非接触通信が不可能であると判断した場合、未記録のデータをカードへ記録し、ファイルをクローズするためのアンマウント処理が完了しているかどうかをチェックする（ステップＳ１１０）。
【００４０】
アンマウント処理が完了していないときは、アンマウント処理を実行して（ステップＳ１１１）、画像データの記録が不可能であることを表示部１０９へ通知する（ステップＳ１１２）。そして、本処理を終了する。
【００４１】
図３は、図１のデジタルビデオカメラとＩＣカードの通信状態を示す図である。
【００４２】
デジタルビデオカメラ１００に第１のＩＣカード２００が装着されている。そのため、第１のＩＣカード２００におけるカード側非接触通信制御部２０２は機能を停止し、カード側接触通信制御部２０１にて、デジタルビデオカメラ１００の装置側接触通信制御部１０５と通信を行っている。
【００４３】
一方、デジタルビデオカメラ１００の外部に備わる第２のＩＣカード３００に対して、デジタルビデオカメラ１００の装置側接触通信制御部１０５は使用することができないが、非接触通信手段（装置側非接触通信制御部１０７）にて通信可能である。
【００４４】
このとき、第１のＩＣカード２００のカード側非接触通信制御部２０２は機能を停止しているため、第１のＩＣカード２００のカード側非接触通信制御部２０２から電波干渉を受ける心配が無い。
【００４５】
（第２の実施の形態）
図４は、本発明の第２の実施の形態に係る記録装置としてのデジタルビデオカメラと、記録媒体としてのＩＣカードを示すブロック図である。
【００４６】
第２の実施の形態においては、カード装着検出部２０７がＩＣカード２００側にあることである。その他は、図１に示す第１の実施の形態と同じである。
【００４７】
図５は、図４のＩＣカードによって実行される通信手段選択処理の手順を示すフローチャートである。
【００４８】
本処理は、図４におけるカード制御部２０４の制御の下に実行される。
【００４９】
図５において、カード装着検出部２０７にて、ＩＣカード２００の装着が検出されているかをチェックする（ステップＳ２０１）。カードが装着されていることを検出すると、接触通信手段による通信が開始されているかをチェックする（ステップＳ２０２）。接触通信手段による通信が開始されていない場合は、処理を終了する。
【００５０】
接触通信手段による通信が開始されている場合、非接触通信手段による通信が有効であるかどうかをチェックする（ステップＳ２０３）。非接触通信手段による通信が有効である場合、非接触通信手段による通信を停止する処理を開始する（ステップＳ２０４、Ｓ２０５）。そして、本処理を終了する。
【００５１】
ステップＳ２０１において、カード装着を検出しない場合、非接触通信手段による通信を開始するための処理を開始する。
【００５２】
即ち、非接触通信手段による通信が有効であるかどうかをチェックする（ステップＳ２０６）。非接触通信手段による通信が有効である場合、非接触通信手段による非接触通信を継続する（ステップＳ２０７）。
【００５３】
非接触通信手段による通信が有効でない場合、非接触通信が可能か否か判断し（ステップＳ２０８）、非接触通信が可能である場合、非接触通信手段の通信を開始する（ステップＳ２０９、Ｓ２１０）。そして、本処理を終了する。
【図面の簡単な説明】
【００５４】
【図１】本発明の第１の実施の形態に係る記録装置としてのデジタルビデオカメラと、記録媒体としてのＩＣカードを示すブロック図である。
【図２】図１のデジタルビデオカメラによって実行される通信手段選択処理の手順を示すフローチャートである。
【図３】図１のデジタルビデオカメラとＩＣカードの通信状態を示す図である。
【図４】本発明の第２の実施の形態に係る記録装置としてのデジタルビデオカメラと、記録媒体としてのＩＣカードを示すブロック図である。
【図５】図４のＩＣカードによって実行される通信手段選択処理の手順を示すフローチャートである。
【図６】従来例に係るデジタルビデオカメラとＩＣカードの通信状態を示す図である（１）。
【図７】従来例に係るデジタルビデオカメラとＩＣカードの通信状態を示す図である（２）。
【符号の説明】
【００５５】
１００  デジタルビデオカメラ
１０４  システム制御部
１０５  装置側接触通信制御部
１０６  カード装着検出部
１０７  装置側非接触通信制御部
２００  ＩＣカード
２０１  カード側接触通信制御部
２０２  カード側非接触通信制御部
２０４  カード制御部
【図１】
2009295110.tif 000003
【図２】
2009295110.tif 000004
【図３】
2009295110.tif 000005
【図４】
2009295110.tif 000006
【図５】
2009295110.tif 000007
【図６】
2009295110.tif 000008
【図７】
2009295110.tif 000009